(57)【要約】【課題】複数ページから成る原稿を表現した画像データを保存する場合に於いても簡単且つ最適な保存形式に画像データを変換する。【解決手段】複数ページから成る原稿を取得部３６によってページごとに順次取得し、ページデータ（第１ページデータＰＤ１，第２ページデータＰＤ２，…）を生成する。各ページデータがイラスト画像のみを含むのか自然画像のみを含むのか、または両者を含むんでいるのかを判定部４２に於いて判定する。判定結果に応じて各ページデータ（第１ページデータＰＤ１，第２ページデータＰＤ２，…）をＪＰＥＧ形式で保存するのかＧＩＦ形式で保存するのかを決定部４６に於いて決定し、変換部４８が、決定された保存形式に変換して保存部３８に保存する。【選択図】図４
2007310775.tif 000002
【特許請求の範囲】
【請求項１】
画像処理装置であって、
複数のページデータを含む画像データを取得する取得部と、
複数の決定方法の中から、前記画像データの保存形式決定方法を選択する選択部と、
前記画像データに含まれるページデータに基づいて、前記ページデータが表現する画像の画像種別を判定する判定部と、
前記選択部によって選択された保存形式決定方法に従って、前記判定部の判定結果に応じて複数のファイル形式から保存形式を決定する決定部と、
前記決定部により決定された保存形式で前記画像データを保存データに変換する変換部と、
前記変換部によって変換された保存データを保存する保存部と、
を備えることを特徴とする画像処理装置。
【請求項２】
請求項１に記載の画像処理装置であって、
前記複数の決定方法は、前記画像データに含まれる個々のページデータごとに保存形式を決定する個別決定方法を含むことを特徴とする画像処理装置。
【請求項３】
請求項１または請求項２に記載の画像処理装置であって、
前記複数の決定方法は、前記画像データに含まれる全てのページデータについて同一の保存形式を決定する統一決定方法を含むことを特徴とする画像処理装置。
【請求項４】
請求項３に記載の画像処理装置であって、
前記選択部によって前記統一決定方法が選択された場合に於いて、前記決定部は、一のページデータに基づく前記判定部での判定結果に応じて前記複数のファイル形式から保存形式を決定することを特徴とする画像処理装置。
【請求項５】
請求項３に記載の画像処理装置であって、
前記選択部によって前記統一決定方法が選択された場合に於いて、前記決定部は、前記画像データに含まれる全てのページデータに基づく前記判定部での判定結果に応じて前記複数のファイル形式から保存形式を決定することを特徴とする画像処理装置。
【請求項６】
請求項５に記載の画像処理装置であって、
前記決定部は、前記判定部で判定されたページデータの画像種別のうち最も多い画像種別に応じて前記複数のファイル形式から保存形式を決定することを特徴とする画像処理装置。
【請求項７】
請求項５に記載の画像処理装置であって、
前記決定部は、前記判定部で判定されたページデータの画像種別に自然画像が含まれている場合には、前記複数のファイル形式から前記自然画像に適した保存形式を決定することを特徴とする画像処理装置。
【請求項８】
請求項５に記載の画像処理装置であって、
前記決定部は、前記判定部で判定された前記ページデータの画像種別にイラスト画像が含まれている場合には、前記複数のファイル形式から前記イラスト画像に適した保存形式を決定することを特徴とする画像処理装置。
【請求項９】
請求項１乃至請求項８の何れかに記載の画像処理装置であって、
前記判定部は、ページデータに相異なる種別の画像が複数含まれている場合には、前記ページデータの画像種別を、予め定められた優先画像種別として判定することを特徴とする画像処理装置。
【請求項１０】
複数のページデータを含む画像データを取得する取得工程と、
複数の決定方法の中から、前記画像データの保存形式決定方法を選択する選択工程と、
前記画像データに含まれるページデータに基づいて、前記ページデータが表現する画像の画像種別を判定する判定工程と、
前記選択工程によって選択された保存形式決定方法に従って、前記判定工程の判定結果に応じて複数のファイル形式から保存形式を決定する決定工程と、
前記決定工程により決定された保存形式で前記画像データを保存データに変換する変換工程と、
前記変換工程によって変換された保存データを保存する保存工程と、
を備えることを特徴とする画像処理方法。
【発明の詳細な説明】
【技術分野】
【０００１】
本発明は、記録媒体の複数のページデータに形成される画像を含む原稿から画像データを生成し、その画像データを変換する画像処理装置及び画像処理方法に関する。
【背景技術】
【０００２】
スキャナ等によって取得された原稿の画像種別を判定し、その判定結果に基づいて最適と判断される保存形式を決定して保存する画像処理装置が提案されている（例えば、特許文献１）。
【０００３】
【特許文献１】特開２００２−１７６５６４号公報
【発明の開示】
【発明が解決しようとする課題】
【０００４】
しかしながら、上述の特許文献１に記載された画像処理装置に於いては、複数ページある原稿の場合について何ら考慮されておらず、処理することができない。
【０００５】
そこで、本発明の課題は、複数ページから成る原稿を表現した画像データを保存する場合に於いても簡単且つ最適な保存形式に画像データを変換することにある。
【課題を解決するための手段】
【０００６】
上記の課題を解決するため、請求項１の発明は、画像処理装置であって、複数のページデータを含む画像データを取得する取得部と、複数の決定方法の中から、前記画像データの保存形式決定方法を選択する選択部と、前記画像データに含まれるページデータに基づいて、前記ページデータが表現する画像の画像種別を判定する判定部と、前記選択部によって選択された保存形式決定方法に従って、前記判定部の判定結果に応じて複数のファイル形式から保存形式を決定する決定部と、前記決定部により決定された保存形式で前記画像データを保存データに変換する変換部と、前記変換部によって変換された保存データを保存する保存部とを備えることを特徴とする。
【０００７】
また、請求項２の発明は、請求項１の発明に係る画像処理装置であって、前記複数の決定方法は、前記画像データに含まれる個々のページデータごとに保存形式を決定する個別決定方法を含むことを特徴とする。
【０００８】
また、請求項３の発明は、請求項１または請求項２の発明に係る画像処理装置であって、前記複数の決定方法は、前記画像データに含まれる全てのページデータについて同一の保存形式を決定する統一決定方法を含むことを特徴とする。
【０００９】
また、請求項４の発明は、請求項３の発明に係る画像処理装置であって、前記選択部によって前記統一決定方法が選択された場合に於いて、前記決定部は、一のページデータに基づく前記判定部での判定結果に応じて前記複数のファイル形式から保存形式を決定することを特徴とする。
【００１０】
また、請求項５の発明は、請求項３の発明に係る画像処理装置であって、前記選択部によって前記統一決定方法が選択された場合に於いて、前記決定部は、前記画像データに含まれる全てのページデータに基づく前記判定部での判定結果に応じて前記複数のファイル形式から保存形式を決定することを特徴とする。
【００１１】
また、請求項６の発明は、請求項５の発明に係る画像処理装置であって、前記決定部は、前記判定部で判定されたページデータの画像種別のうち最も多い画像種別に応じて前記複数のファイル形式から保存形式を決定することを特徴とする。
【００１２】
また、請求項７の発明は、請求項５の発明に係る画像処理装置であって、前記決定部は、前記判定部で判定されたページデータの画像種別に自然画像が含まれている場合には、前記複数のファイル形式から前記自然画像に適した保存形式を決定することを特徴とする。
【００１３】
また、請求項８の発明は、請求項５の発明に係る画像処理装置であって、前記決定部は、前記判定部で判定された前記ページデータの画像種別にイラスト画像が含まれている場合には、前記複数のファイル形式から前記イラスト画像に適した保存形式を決定することを特徴とする。
【００１４】
また、請求項９の発明は、請求項１乃至請求項８の何れかの発明に係る画像処理装置であって、前記判定部は、ページデータに相異なる種別の画像が複数含まれている場合には、前記ページデータの画像種別を、予め定められた優先画像種別として判定することを特徴とする。
【００１５】
また、請求項１０の発明は、複数のページデータを含む画像データを取得する取得工程と、複数の決定方法の中から、前記画像データの保存形式決定方法を選択する選択工程と、前記画像データに含まれるページデータに基づいて、前記ページデータが表現する画像の画像種別を判定する判定工程と、前記選択工程によって選択された保存形式決定方法に従って、前記判定工程の判定結果に応じて複数のファイル形式から保存形式を決定する決定工程と、前記決定工程により決定された保存形式で前記画像データを保存データに変換する変換工程と、前記変換工程によって変換された保存データを保存する保存工程とを備えることを特徴とする。
【発明の効果】
【００１６】
請求項１乃至１０に記載の発明では、取得された複数のページデータの保存形式を、保存形式決定方法に従って決定することにより、画像データに複数のページデータが含まれていても対応できる。また、保存形式決定方法を複数の決定方法から選択するので、ユーザの要求や画像データの内容に応じて柔軟に対応できる。
【００１７】
請求項２に記載の発明では、複数の決定方法は、前記画像データに含まれる個々のページデータごとに保存形式を決定する個別決定方法を含むので、各ページデータに表現されている画像に適した保存形式で保存することが可能となり、画像データに含まれる画像の劣化等を回避または抑制することができる。
【００１８】
請求項３の発明は、複数の決定方法は、画像データに含まれる全てのページデータについて同一の保存形式を決定する統一決定方法を含むので、変換された保存データが単一形式のデータとなり、保存データの保存や編集を行うことが容易となる。
【００１９】
請求項４に記載の発明では、統一決定方法が選択された場合に於いて、一のページデータに基づく判定部での判定結果に応じて複数のファイル形式から保存形式を決定するので、保存形式の決定を速やかに行うことができる。
【００２０】
請求項５に記載の発明では、統一決定方法が選択された場合に於いて、全てのページデータに基づく判定部での判定結果に応じて複数のファイル形式から保存形式を決定するので、ユーザがページごとに保存形式を選択する操作を省くことが可能となり、画像データに応じた保存形式で保存することが可能となる。
【００２１】
請求項６に記載の発明では、決定部は、判定部によって判定されたページデータの画像種別のうち最も多い画像種別に応じて複数のファイル形式から保存形式を決定するので、保存される画像の劣化等を回避または抑制することが可能となる。
【００２２】
請求項７に記載の発明では、決定部は、判定部で判定されたページデータの画像種別に自然画像が含まれている場合には、複数のファイル形式から自然画像に適した保存形式を決定するので、画像データに含まれる自然画像の劣化等を回避または抑制することが可能となる。
【００２３】
請求項８に記載の発明では、決定部は、判定部で判定されたページデータの画像種別にイラスト画像が含まれている場合には、複数のファイル形式からイラスト画像に適した保存形式を決定するので、画像データに含まれるイラスト画像の劣化等を回避または抑制することが可能となる。
【００２４】
請求項９に記載の発明では、判定部は、ページデータに相異なる種別の画像が複数含まれている場合には、当該ページデータの画像種別を、予め定められた優先画像種別として判定するので、複数種類の画像種別の画像が含まれているページデータの画像種別を判定することができると共に、一の画像種別を他の画像種別よりも優先することが可能となる。
【発明を実施するための最良の形態】
【００２５】
以下、本発明の実施形態を図面に基づいて説明する。
【００２６】
＜装置の外部構成＞
図１及び図２は、本発明の実施形態に係る画像処理装置１０の外観構成の概略を示す図の一例である。図１は、カバー１２Ｂを閉じた状態の斜視図であり、図２は、カバー１２Ｂを開いた状態の斜視図である。尚、説明の便宜上、各図に於いて座標軸を示してある。
【００２７】
図１及び図２に示す如く、画像処理装置１０は、例えば、筐体ＨＳの上部に設けられたスキャナ１２と、筐体ＨＳの上側から前方へ突出した操作部１４及び表示部１６とを備える。
【００２８】
スキャナ１２は、ＡＤＦ（Automatic Document Feeder）１２Ａを含むカバー１２Ｂと、ＦＢＳ（Flat Bed Scanner）とを有しており、記録媒体である原稿上の画像をページごとに光学的に順次読み取って後述する取得部３６（図３参照）に入力するものである。尚、本実施形態に於いては、複数ページから成る原稿をＡＤＦ１２Ａによって順次読み取っていくものとする。
【００２９】
操作部１４及び表示部１６は、ユーザインタフェイスとして設けられている。
【００３０】
操作部１４は、メカニカルスイッチで構成され、スキャナ１２による画像取得、コピー及びファクシミリ送受信等に関する各種指示を、後述するＭＰＵ３０（図３参照）に入力するものである。
【００３１】
表示部１６は、ＬＣＤ（Liquid Crystal Display：液晶ディスプレイ）等の表示デバイスで構成され、スキャナ１２による画像取得、コピー及びファクシミリ送受信等に関する各種情報を表示するものである。
【００３２】
例えば、後述するＡＤＦ１２Ａによる画像取得を実行する場合であれば、原稿の画像種別の選択メニュ等が表示部１６に表示される。尚、表示部１６にタッチパネルディスプレイを適用して、操作部１４の一部または全ての機能を兼ね備えるようにしても良い。
【００３３】
＜装置の内部構成＞
図３は、画像処理装置１０の内部構成を示すブロック図である。
【００３４】
画像処理装置１０は、ＭＰＵ（Micro Processor Unit）３０と、ＲＯＭ３２と、ＲＡＭ３４とを備え、マイクロコンピュータとしての機能を有している。
【００３５】
ＭＰＵ３０は、操作部１４に対する入力操作を検出して画像処理装置１０の動作へ反映させると共に、表示部１６に於ける表示内容の制御を行う。ＭＰＵ３０の処理内容については後に詳述する。
【００３６】
ＲＯＭ３２は、ＭＰＵ３０が実行する制御内容のプログラムや制御に必要なデータが格納されたものであり、ＲＡＭ３４は、ＭＰＵ３０による統括制御に必要なデータを一時記憶するものである。これにより、画像処理装置１０の各種機能が実現される。
【００３７】
また、画像処理装置１０は、ネットワークインタフェイスＩＦと、取得部３６と、保存部３８とを備えている。
【００３８】
ネットワークインタフェイスＩＦは、例えば、ＬＡＮやＰＳＴＮ等のネットワークとのインタフェイスであり、一般的なデータ通信やファクシミリの送受信等が可能となっている。
【００３９】
取得部３６は、後に図４に示す如く、複数のページデータ（第１ページデータＰＤ１，第２ページデータＰＤ２，…）を含む画像データＩＤを取得するものであり、スキャナ１２からの入力に基づいて、各ページに形成される画像を表現したページデータの集合である画像データＩＤをページデータごとに順次取得し生成するものである。
【００４０】
尚、画像データＩＤは、圧縮等のされていない、いわゆる生データであるが、生データに逆変換可能なデータであっても良い。また、取得部３６は、必ずしもスキャナ１２からの入力に基づいて、画像データＩＤを取得する必要はなく、ＦＤやＭＯ、ＣＤ−Ｒ等のメディアに記憶された画像を読み取るドライブ（図示省略）から取得しても良いし、ネットワークインタフェイスＩＦを介して伝送されたデータから取得するものであっても良い。
【００４１】
保存部３８は、一般的な記憶装置であって、後述する変換部４８によって変換された保存データＳＤ（図４参照）を保存するものである。
【００４２】
また、画像処理装置１０は、プリンタ１８を備えており、保存部３８に格納されたデータから記録紙上に画像を形成して出力するものである。このプリンタ１８が、所定サイズ（例えば、Ａ４，Ｂ５サイズ）の記録紙を格納し必要に応じて給送する給紙部（図示省略）から給送される記録紙上に画像を形成し、当該記録紙を排紙部（図示省略）に排出することによって一般的なコピー機能、プリント機能等が実現可能となっている。
【００４３】
＜装置の機能＞
図４は、画像処理装置１０の機能ブロック図である。
【００４４】
画像処理装置１０は、ＭＰＵ３０と、ＲＯＭ３２及びＲＡＭ３４とを備えるマイクロコンピュータを用いて、判定部４２と、決定部４６と、選択部４４と、変換部４８としての機能を有している。
【００４５】
判定部４２は、取得部３６によって順次取得され生成されたページデータ（第１ページデータＰＤ１，第２ページデータＰＤ２，…）に基づいて、それぞれのページデータが表現する画像の画像種別を個別に判定するものである。
【００４６】
具体的には、判定部４２は、ＲＯＭ３２に格納された画像種別判定閾値３２Ａに基づいて、ページデータが表現する画像がイラスト画像なのか自然画像なのか或いは両者を含んだ画像なのかを判定するものである。
【００４７】
より具体的には、例えば、ページデータに或る抽出点を定めてその周囲の色のばらつきを検出しながら抽出点を走査し、検出された色のばらつきが走査範囲全てに亘って画像種別判定閾値３２Ａ以下のときは、当該ページデータをイラスト画像のみを含むデータと判定する。
【００４８】
検出された色のばらつきが走査範囲全てに亘って画像種別判定閾値３２Ａよりも高いときは、当該ページデータを自然画像のみを含むデータと判定する。
【００４９】
検出された色のばらつきが走査範囲の一部領域に於いて画像種別判定閾値３２Ａよりも高く、他の領域に於いて画像種別判定閾値３２Ａよりも低いときは、当該ページデータを両者を含むデータと判定する。
【００５０】
ここで、第１ページデータＰＤ１内にイラスト画像と自然画像のような相異なる種別の画像が複数含まれている場合には、優先判定情報３２Ｂに基づいて判定するものとする。
【００５１】
即ち、優先判定情報３２Ｂは、判定部４２によって参照される情報であって、判定部４２に対し、何れの画像種別（本実施の形態では、イラスト画像または自然画像）を優先するかを示す情報（優先画像種別）である。
【００５２】
選択部４４は、複数の決定方法の中から、画像データＩＤの保存形式決定方法を選択する。本実施の形態における選択部４４は、ユーザが操作部１４から入力する指示に基づいて選択を行う。
【００５３】
ここで、選択部４４が選択する保存形式決定方法とは、全てのページデータについて同一の保存形式を決定する方法（統一決定方法に相当する）と、個々のページデータごとに保存形式を決定する方法（個別決定方法に相当する）とを含む。
【００５４】
決定部４６は、選択部４４によって選択された保存形式決定方法に従って、判定部４２の判定結果に応じて複数のファイル形式から保存形式を決定する。
【００５５】
尚、本実施形態に於ける決定部４６は、ＪＰＥＧ形式とＧＩＦ形式という複数のファイル形式から保存形式を決定する。ＪＰＥＧ形式とは最高で１６７７万色をサポートしている画像ファイルの保存形式であり、色数の多い写真のような画像に適した保存形式である。ＧＩＦ形式とは最高で２５６色をサポートしている画像ファイルの保存形式であり、色数の少ないイラストのような画像に適した保存形式である。
【００５６】
決定部４６は、選択部４４の選択結果が全てのページデータ（第１ページデータＰＤ１，第２ページデータＰＤ２，…）について同一の保存形式とする統一決定方法であった場合には、複数のファイル形式から一の保存形式を決定する。
【００５７】
本実施形態に於ける決定部４６は、全てのページデータについて一の保存形式を決定する場合に於いて、２つの手法を選択的に実行可能である。
【００５８】
１つ目の手法は、全てのページデータを代表する一のページデータ（例えば、第１ページデータＰＤ１）についての判定部４２での判定結果に応じて決定する手法である。この手法では、判定部４２による判定が１回で済むので、決定部４６による決定を高速に行える。
【００５９】
２つ目の手法は、個々のページデータ（第１ページデータＰＤ１，第２ページデータＰＤ２，…）に基づく判定部４２での判定結果に応じて決定する手法である。この手法では、全てのページデータについて画像種別が考慮されるので、より適切な保存形式を決定できる。
【００６０】
尚、本実施の形態における決定部４６は、上記１つ目の手法と２つ目の手法とをユーザからの指示入力に基づいて決定する（図６：ステップＳ６０３）。
【００６１】
２つ目の手法には更に３つの手法がある。１つ目の手法は、判定部４２で判定されたページデータの画像種別のうち最も多い画像種別に応じて決定する手法である。
【００６２】
２つ目の手法は、判定部４２で判定されたページデータ（第１ページデータＰＤ１，第２ページデータＰＤ２，…）の画像種別に自然画像が含まれていれば、自然画像に適した保存形式に決定するという手法である。
【００６３】
３つ目の手法は、判定部４２で判定されたページデータ（第１ページデータＰＤ１，第２ページデータＰＤ２，…）の画像種別にイラスト画像が含まれていれば、イラスト画像に適した保存形式に決定するという手法である。
【００６４】
尚、本実施の形態における決定部４６は、上記３つの手法を優先決定情報３２Ｃに基づいて決定する（図８：ステップＳ７０８およびＳ７１１）。
【００６５】
即ち、優先決定情報３２Ｃは、決定部４６によって参照される情報であって、決定部４６に対し、優先決定の有効・無効を示す識別情報と、何れの画像種別（本実施の形態では、イラスト画像または自然画像）を優先するかを示す情報（優先画像種別）とが含まれる。
【００６６】
一方、決定部４６は、選択部４４の選択結果が個々のページデータ（第１ページデータＰＤ１，第２ページデータＰＤ２，…）ごとに決定するという個別決定方法であった場合には、個々のページデータについての判定部４２での判定結果に応じて、個々のページデータの保存形式を決定する。
【００６７】
変換部４８は、決定部４６で決定された保存形式でページデータ（第１ページデータＰＤ１，第２ページデータＰＤ２，…）を含む画像データＩＤを保存データＳＤに変換し、保存部３８に書き込むものである。
【００６８】
変換部４８は、前述のように、決定部４６によって個々のページデータごとに保存形式が決定された場合には、各ページデータ（第１ページデータＰＤ１，第２ページデータＰＤ２，…）を該保存形式のページファイル（第１ページファイルＰＦ１，第２ページファイルＰＦ２，…）に変換する。
【００６９】
尚、変換部４８によって変換された複数のページファイル（第１ページファイルＰＦ１，第２ページファイルＰＦ２，…）が、例えば、ＪＰＥＧ形式とＧＩＦ形式のような相異なる保存形式となっている場合には、両者を関連付けるようなファイルを作成する等して、１つの画像データＩＤを表現した保存データＳＤとして保存される。
【００７０】
以上が画像処理装置１０の構成と機能の説明である。
【００７１】
次に、ＭＰＵ３０が行う具体的な処理について説明する。図５は、画像処理装置１０の処理内容を示すフローチャートである。
【００７２】
＜ＭＰＵの処理内容＞
まず、選択部４４は、操作部１４からの入力によってページ（ページデータ）ごとに保存形式を決定するか否かについての判定を行う（ステップＳ５０１）。
【００７３】
尚、本実施形態に於ける画像処理装置１０は、ステップＳ５０１に於ける判定を操作部１４からの入力によって行うが、このような情報が初期設定として予め設定されていても良い。
【００７４】
ステップＳ５０１に於いて、Ｙｅｓの判定（全てのページについて保存形式を統一するとの判定）がなされた場合には、後述する統一保存処理（ステップＳ５０２）を行う。
【００７５】
ステップＳ５０１に於いて、ページごとに保存形式を決定する選択（Ｎｏの選択）がなされた場合には、スキャナ１２が１ページのスキャンを行い、取得部３６がＲＡＭ３４に当該ページのページデータを生成する（ステップＳ５０３）。
【００７６】
次に、ステップＳ５０３に於いて生成されたページデータがイラスト画像のみを含むのか否かを画像種別判定閾値３２Ａを基準として判定部４２が判定する（ステップＳ５０４）。
【００７７】
ステップＳ５０４に於いて、Ｙｅｓの判定（ページデータがイラスト画像のみを含むとの判定）がなされた場合には、この判定結果に応じて、決定部４６が、複数のファイル形式から当該ページデータをＧＩＦ形式で保存することを決定する。更に、変換部４８が、当該ページデータをＧＩＦ形式のファイルとしてページファイルに変換して保存部３８に書き込み保存する（ステップＳ５０５）。
【００７８】
ステップＳ５０４に於いて、Ｎｏの判定（当該ページデータがイラスト画像のみではないとの判定）がなされた場合には、当該ページデータがイラスト画像と自然画像とを共に含むのか否かを判定部４２が更に判定する（ステップＳ５０６）。
【００７９】
ステップＳ５０６に於いて、Ｎｏの判定（当該ページデータが自然画像のみを含むとの判定）がなされた場合には、この判定結果に応じて、決定部４６が、複数のファイル形式から当該ページデータをＪＰＥＧ形式で保存することを決定する。更に、変換部４８が、当該ページデータをＪＰＥＧ形式のファイルとしてページファイルに変換して保存部３８に書き込み保存する（ステップＳ５０７）。
【００８０】
ステップＳ５０６に於いて、Ｙｅｓの判定（当該ページデータがイラスト画像と自然画像とを共に含むとの判定）がなされた場合には、イラスト画像と自然画像とを共に含む当該ページデータをＪＰＥＧ形式で保存するのか否かを判定する（ステップＳ５０８）。
【００８１】
具体的には、まず、判定部４２が、優先判定情報３２Ｂを参照して、当該ページデータを優先画像種別（イラスト画像または自然画像のうち優先される画像種別）として判定し、この判定結果に応じて、決定部４６が、当該ページデータをＪＰＥＧ形式で保存するのか否かを決定する。
【００８２】
より詳細には、優先画像種別がイラスト画像である場合、決定部４６は当該ページデータをＧＩＦ形式で保存する（即ちＪＰＥＧ形式で保存しない）と決定する。一方、優先画像種別が自然画像である場合、決定部４６は当該ページデータをＪＰＥＧ形式で保存すると決定する。
【００８３】
ステップＳ５０８に於いて、Ｙｅｓの判定（イラスト画像と自然画像とを共に含むページデータをＪＰＥＧ形式で保存するとの決定）がなされた場合には、変換部４８が、当該ページデータをＪＰＥＧ形式のファイルとしてページファイルに変換して保存部３８に書き込み保存する（ステップＳ５０７）。
【００８４】
一方、ステップＳ５０８に於いて、Ｎｏの判定（イラスト画像と自然画像とを共に含むページデータをＧＩＦ形式で保存するとの決定）がなされた場合には、変換部４８が、当該ページデータをＧＩＦ形式のファイルとしてページファイルに変換して保存部３８に書き込み保存する（ステップＳ５０５）。
【００８５】
そして、全ページについて上述のステップＳ５０５またはステップＳ５０７が行われたか否かの判定を行い（ステップＳ５０９）、Ｎｏの判定がなされた場合には、スキャナ１２が次の１ページのスキャンを行い、取得部３６がＲＡＭ３４にページデータを生成して一連の処理を繰り返す。以降ステップＳ５０９に於いてＹｅｓの判定がなされるまで処理を行う。
【００８６】
このように、本実施形態に於いては、１ページをスキャンしてページデータを生成するステップＳ５０３を、原稿の全ページのスキャンが終了するまでステップＳ５０９により繰り返すことによって、本発明の取得工程が実現される。
【００８７】
以上のように、ステップＳ５０３乃至ステップＳ５０９の処理が実行されると、画像データＩＤに含まれる全てのページデータについて、個々のページデータごとに保存形式が決定される。即ち、ステップＳ５０３乃至ステップＳ５０９の処理は、選択部４４によって複数の決定方法の中から個別決定方法が選択された場合に実行される処理である。
【００８８】
＜統一保存処理＞
ステップＳ５０１に於いて、Ｎｏの判定（複数のページの保存形式を統一するとの判定）がなされた場合の統一保存処理（ステップＳ５０２）について説明する。統一保存処理は、選択部４４によって複数の決定方法の中から統一決定方法が選択された場合に実行される処理である。
【００８９】
図６、図７及び図８は、画像処理装置１０の統一保存処理を示すフローチャートである。
【００９０】
統一保存処理は、決定部４６での決定の仕方によって、例えば、第１ページデータＰＤ１についての判定部４２での判定結果に応じた保存形式の決定と、全ページデータについての判定部４２での判定結果に基づいて最も多い画像種別に応じた保存形式の決定と、全ページデータについての判定部４２での判定結果に基づいて所定の画像種別が１以上含まれている場合の当該画像種別に応じた保存形式の決定と、ユーザによる保存形式の決定とを含む。
【００９１】
まず、統一する保存形式をユーザが決定するのか否かの選択が、操作部１４からの入力によりなされる（ステップＳ６０１）。
【００９２】
ステップＳ６０１に於いて、Ｙｅｓの選択（保存形式をユーザが決定するとの選択）がなされた場合には、後述するユーザ指定処理を行う（ステップＳ６０２）。
【００９３】
ステップＳ６０１に於いて、Ｎｏの選択（保存形式をユーザが決定しないとの選択）がなされた場合には、第１ページの画像種別に応じた保存形式で統一するのか否かの判定がなされる（ステップＳ６０３）。
【００９４】
ステップＳ６０３に於いて、Ｙｅｓの選択（第１ページの画像種別に応じた保存形式で統一するとの選択）がなされた場合には、スキャナ１２が第１ページのスキャンを行い、取得部３６がＲＡＭ３４に第１ページデータＰＤ１を生成する（ステップＳ６０４）。
【００９５】
そして、保存形式が決定済みか否かの判定がなされる（ステップＳ６０５）。ここで、ステップＳ６０５が実行される場合とは、第１ページの画像種別に応じた保存形式を決定する場合である。
【００９６】
したがって、ステップＳ６０４に於いて生成されたページデータが、第１ページデータＰＤ１である場合には、未だ、ページデータ（第１ページデータＰＤ１，第２ページデータＰＤ２，…）またはその集合である画像データＩＤの保存形式が決定されていない。この場合は、ステップＳ６０５に於いて、必ずＮｏと判定される。
【００９７】
一方、ステップＳ６０４に於いて生成されたページデータが、第２ページデータＰＤ２以降のページデータである場合には、既に、ページデータ（第１ページデータＰＤ１，第２ページデータＰＤ２，…）またはその集合である画像データＩＤの保存形式は決定されている。この場合は、ステップＳ６０５に於いて、必ずＹｅｓと判定される。
【００９８】
即ち、本実施形態に於ける画像処理装置１０では、第２ページデータＰＤ２以降を処理するときに、後述のステップＳ６０６，Ｓ６０８（判定部４２による画像種別の判定）が実行されることはない。
【００９９】
ステップＳ６０５に於いて、Ｎｏの判定（保存形式が未決定であるとの判定）がなされると、ステップＳ６０４に於いて生成された第１ページデータＰＤ１がイラスト画像のみを含むのか否かを画像種別判定閾値３２Ａを基準として判定部４２が判定する（ステップＳ６０６）。
【０１００】
尚、ステップＳ６０６に於いて、Ｙｅｓの判定（第１ページデータＰＤ１がイラスト画像のみを含むとの判定）がなされた場合には、この判定結果に応じて、決定部４６が、全てのページデータ（第１ページデータＰＤ１，第２ページデータＰＤ２，…）について統一してＧＩＦ形式で保存することを決定する。これにより、保存形式がＧＩＦ形式に決定されるので、以後、ステップＳ６０５に於いてＹｅｓと判定されると共に、後述するステップＳ６１０に於いてＮｏと判定される。
【０１０１】
ステップＳ６０６に於いて、Ｙｅｓの判定がなされると、変換部４８が、決定部４６によって決定された保存形式に従って、第１ページデータＰＤ１をＧＩＦ形式のファイルとして第１ページファイルＰＦ１に変換して保存部３８に書き込み保存する（ステップＳ６０７）。
【０１０２】
ステップＳ６０６に於いて、Ｎｏの判定（第１ページがイラスト画像のみではないとの判定）がなされた場合には、第１ページデータＰＤ１がイラスト画像と自然画像とを共に含むのか否かを判定部４２が更に判定する（ステップＳ６０８）。
【０１０３】
尚、ステップＳ６０８に於いて、Ｎｏの判定（第１ページデータＰＤ１が自然画像のみを含むとの判定）がなされた場合には、決定部４６が、ＪＰＥＧ形式に統一して保存することを決定する。これにより、保存形式がＪＰＥＧ形式に決定されるので、以後、ステップＳ６０５に於いてＹｅｓと判定されると共に、後述するステップＳ６１０に於いてＹｅｓと判定される。
【０１０４】
ステップＳ６０８に於いて、Ｎｏの判定がなされると、変換部４８が、決定部４６によって決定された保存形式に従って、第１ページデータＰＤ１をＪＰＥＧ形式のファイルとして第１ページファイルＰＦ１に変換して保存部３８に書き込み保存する（ステップＳ６０９）。
【０１０５】
尚、ステップＳ６０８に於いて、Ｙｅｓの判定（第１ページデータＰＤ１がイラスト画像と自然画像とを共に含むとの判定）がなされた場合には、判定部４２が、優先判定情報３２Ｂを参照して、当該第１ページデータＰＤ１を優先画像種別（イラスト画像または自然画像のうち優先される画像種別）として判定する。
【０１０６】
そして、この判定結果に応じて、決定部４６が、全てのページデータをＪＰＥＧ形式に統一して保存するのか否かを決定する。より詳細には、優先画像種別がイラスト画像である場合、決定部４６はＧＩＦ形式に統一して保存する（即ちＪＰＥＧ形式に統一して保存しない）と決定する。
【０１０７】
一方、優先画像種別が自然画像である場合、決定部４６はＪＰＥＧ形式に統一して保存すると決定する。これにより、保存形式が決定されるので、以後、ステップＳ６０５に於いてＹｅｓと判定される。
【０１０８】
ステップＳ６０５またはＳ６０８に於いてＹｅｓの判定がなされた場合には、決定済みの保存形式がＪＰＥＧ形式なのかＧＩＦ形式なのかの確認を行い、全てのページデータ（第１ページデータＰＤ１，ＰＤ２，…）について統一してＪＰＥＧ形式で保存するのか否かを判定する（ステップＳ６１０）。ステップＳ６１０が実行される場合には、先述のように、既に決定部４６によって保存形式は決定されている。
【０１０９】
ステップＳ６１０に於いて、Ｙｅｓの判定（全てのページデータを統一してＪＰＥＧ形式で保存するとの判定）がなされた場合には、変換部４８が、ページデータ（ステップＳ６０４に於いて生成したページデータ）をＪＰＥＧ形式のファイルに変換して保存部３８に書き込み保存する（ステップＳ６０９）。
【０１１０】
ステップＳ６１０に於いて、Ｎｏの判定（全てのページデータを統一してＧＩＦ形式で保存するとの判定）がなされた場合には、変換部４８が、ページデータ（ステップＳ６０４に於いて生成したページデータ）をＧＩＦ形式のファイルに変換して保存部３８に書き込み保存する（ステップＳ６０７）。
【０１１１】
そして、全ページについて上述のステップＳ６０７またはステップＳ６０９が行われたか否かの判定を行い（ステップＳ６１１）、Ｎｏの判定がなされた場合には、スキャナ１２が次の１ページのスキャンを行い、取得部３６がＲＡＭ３４にページデータを生成して一連の処理を繰り返し、以降ステップＳ６１１に於いてＹｅｓの判定がなされるまで処理を行う。
【０１１２】
ステップＳ６１１に於いて、Ｙｅｓの判定（全ページについて上述のステップＳ６０７またはステップＳ６０９が行われたとの判定）がなされた場合には、統一保存処理（ステップＳ５０２）を終了し、図５に示す処理に戻って処理を終了する。
【０１１３】
このように、ステップＳ６０４乃至Ｓ６１１の処理は、一のページデータを第１ページデータＰＤ１とし、この第１ページデータＰＤ１に基づく判定部４２の判定結果に応じて統一する保存形式を決定する処理に相当する。尚、一のページデータは第１ページデータＰＤ１に限定されるものではない。例えば、最後のページデータを一のページデータとしても良いし、ユーザによって一のページデータを選択するように構成しても良い。
【０１１４】
また、上述の処理によって保存されたページファイル（第１ページファイルＰＦ１，第２ページファイルＰＦ２，…）は、個々のページファイルごとに順次作成されることとなる。しかし、１つの画像データＩＤに含まれる全てのページデータについて、それらのページファイルのファイル形式は同一の保存形式に統一されている。したがって、個々に作成されるページファイルを、１つの保存データＳＤに統一しても構わない。
【０１１５】
一方、ステップＳ６０３に於いて、Ｎｏの選択（第１ページの画像種別に応じた保存形式とはしないとの選択）がなされた場合には、スキャナ１２が１ページのスキャンを行い、取得部３６がＲＡＭ３４にページデータを生成する（ステップＳ７０１）。
【０１１６】
次に、ステップＳ７０１に於いて生成された当該ページデータがイラスト画像のみを含むのか否かを画像種別判定閾値３２Ａを基準として判定部４２が判定する（ステップＳ７０２）。
【０１１７】
ステップＳ７０２に於いて、Ｙｅｓの判定（当該ページデータがイラスト画像のみを含むとの判定）がなされた場合には、イラスト画像のページ数をカウントアップする（ステップＳ７０３）。
【０１１８】
ステップＳ７０２に於いて、Ｎｏの判定（当該ページデータがイラスト画像のみではないとの判定）がなされた場合には、当該ページデータがイラスト画像と自然画像とを共に含むのか否かを判定部４２が更に判定する（ステップＳ７０４）。
【０１１９】
ステップＳ７０４に於いて、Ｎｏの判定（当該ページデータが自然画像のみを含むとの判定）がなされた場合には、自然画像のページ数をカウントアップする（ステップＳ７０５）。
【０１２０】
ステップＳ７０４に於いて、Ｙｅｓの判定（当該ページデータがイラスト画像と自然画像とを共に含むとの判定）がなされた場合には、判定部４２が優先判定情報３２Ｂを参照しつつ、優先画像種別は自然画像か否かを判定する（ステップＳ７０６）。
【０１２１】
ステップＳ７０６に於いて、Ｙｅｓの判定（優先画像種別は自然画像であるとの判定）がなされた場合には、ステップＳ７０５に進んで自然画像のページ数をカウントアップする。一方、Ｎｏの判定（優先画像種別はイラスト画像であるとの判定）がなされた場合には、ステップＳ７０３に進んでイラスト画像のページ数をカウントアップする。
【０１２２】
そして、全ページについて上述のステップＳ７０３またはステップＳ７０５が行われたか否かの判定を行い（ステップＳ７０７）、Ｎｏの判定がなされた場合には、スキャナ１２が次の１ページのスキャンを行い、取得部３６がＲＡＭ３４にページデータを生成して一連の処理を繰り返す。以降ステップＳ７０７に於いてＹｅｓの判定がなされるまで処理を行う。
【０１２３】
ステップＳ７０７に於いて、Ｙｅｓの判定（全ページのスキャン、イラスト画像のページ数のカウント及び、自然画像のページ数のカウントが終了したとの判定）がなされた場合には、決定部４６が優先決定情報３２Ｃを参照しつつ、識別情報に基づいて、優先決定が有効か否かを判定する（ステップＳ７０８）。
【０１２４】
優先決定が無効である場合には、決定部４６は画像種別の多数決によって一の保存形式を決定すると決定し、自然画像のページ数がイラスト画像のページ数以上か否かを決定部４６が判定する（ステップＳ７０９）。
【０１２５】
ステップＳ７０９に於いて、Ｙｅｓの判定（自然画像のページ数がイラスト画像のページ数以上であるとの判定）がなされた場合、決定部４６は、全てのページデータ（第１ページデータＰＤ１，第２ページデータＰＤ２，…）をＪＰＥＧ形式に統一して保存することを決定する。更に、変換部４８が、全てのページデータを含む画像データＩＤをＪＰＥＧ形式のファイルとして保存データＳＤに変換して保存部３８に書き込み保存する（ステップＳ７１２）。これにより、自然画像のページ数が多い場合には、画像データＩＤはＪＰＥＧ形式のファイルとして保存される。
【０１２６】
ステップＳ７０９に於いて、Ｎｏの判定（自然画像のページ数がイラスト画像のページ数未満であるとの判定）がなされた場合、決定部４６は、全てのページデータ（第１ページデータＰＤ１，第２ページデータＰＤ２，…）をＧＩＦ形式に統一して保存することを決定する。更に、変換部４８が、全てのページデータを含む画像データＩＤをＧＩＦ形式のファイルとして保存データＳＤに変換して保存部３８に書き込み保存する（ステップＳ７１４）。これにより、全てのページがイラスト画像の場合には、画像データＩＤはＧＩＦ形式のファイルとして保存される。
【０１２７】
一方、ステップＳ７０８に於いて、Ｙｅｓの判定（優先決定が有効であるとの判定）がなされた場合、更に決定部４６は、自然画像のページ数が１以上であるか否かを判定する（ステップＳ７１０）。
【０１２８】
ステップＳ７１０に於いて、Ｎｏの判定（自然画像のページ数が０であるとの判定）がなされた場合には、前述のステップＳ７１４を実行する。これにより、イラスト画像と判定されたページのみの原稿については、その画像データＩＤをＧＩＦ形式に統一して保存すると決定される。言い換えれば、仮に、優先決定情報３２Ｃに示される優先画像種別が「自然画像」であったとしても、画像データＩＤに含まれるページデータが全てイラスト画像であると判定された場合には、当該画像データＩＤはイラスト画像に適したＧＩＦ形式に統一して保存される。
【０１２９】
ステップＳ７１０に於いて、Ｙｅｓの判定（自然画像のページ数が１以上であるとの判定）がなされた場合、更に決定部４６は、優先決定情報３２Ｃに示される優先画像種別が自然画像であるか否かを判定する（ステップＳ７１１）。
【０１３０】
ステップＳ７１１に於いて、Ｙｅｓの判定（優先画像種別が自然画像であるとの判定）がなされた場合には、前述のステップＳ７１２を実行する。このようにして、決定部４６は、判定部４２で判定されたページデータの画像種別に自然画像が含まれている場合には、自然画像に適したＪＰＥＧ形式に統一して保存することを決定する。
【０１３１】
ステップＳ７１１に於いて、Ｎｏの判定（優先画像種別がイラスト画像であるとの判定）がなされた場合、更に決定部４６は、イラスト画像のページ数が１以上か否かを判定し（ステップＳ７１３）、イラスト画像のページ数が１以上でない場合は、ステップＳ７１２を実行する。
【０１３２】
これにより、自然画像と判定されたページのみの原稿については、その画像データＩＤをＪＰＥＧ形式に統一して保存すると決定される。言い換えれば、優先決定情報３２Ｃに示される優先画像種別が「イラスト画像」であったとしても、画像データＩＤに含まれるページデータが全て自然画像であると判定された場合には、当該画像データＩＤは自然画像に適したＪＰＥＧ形式に統一して保存される。
【０１３３】
一方、ステップＳ７１３に於いて、Ｙｅｓの判定（イラスト画像のページ数が１以上であるとの判定）がなされた場合には、前述のステップＳ７１４を実行する。このようにして、決定部４６は、判定部４２で判定されたページデータの画像種別にイラスト画像が含まれている場合には、イラスト画像に適したＧＩＦ形式に統一して保存することを決定する。
【０１３４】
ステップＳ７１２またはステップＳ７１４が実行されると、統一保存処理（ステップＳ５０２）を終了する。これにより、画像処理装置１０は、図５に示す処理に戻り、処理を終了する。
【０１３５】
＜ユーザ指定処理＞
ステップＳ６０１に於いて、Ｙｅｓの選択（保存形式をユーザが決定するとの選択）がなされた場合のユーザ指定処理（ステップＳ６０２）について説明する。
【０１３６】
図９は、画像処理装置１０のユーザ指定処理（ステップＳ６０２）を示すフローチャートである。
【０１３７】
ユーザ指定処理（ステップＳ６０２）は、複数のページデータ（第１ページデータＰＤ１，第２ページデータＰＤ２，…）の集合である画像データＩＤの保存処理を、ユーザの指示に基づいて行う処理である。
【０１３８】
ユーザ指定処理（ステップＳ６０２）が開始されると、画像処理装置１０は、操作部１４を介する等してユーザによって統一する保存形式（例えば、ＪＰＥＧ形式かまたはＧＩＦ形式）が入力されるまで待機する（ステップＳ８０１）。
【０１３９】
ユーザから統一する保存形式が入力されると、ステップＳ８０１に於いてＹｅｓと判定し、決定部４６は、該入力された保存形式に統一することを決定する。
【０１４０】
保存形式が決定されると、スキャナ１２が１ページのスキャンを行い、取得部３６がＲＡＭ３４にページデータを生成する（ステップＳ８０２）。
【０１４１】
ページデータが生成されると、ステップＳ８０１に於いて決定された保存形式がＪＰＥＧ形式であるのか否かを判定する（ステップＳ８０３）。
【０１４２】
ステップＳ８０３に於いて、Ｙｅｓの判定（決定された保存形式がＪＰＥＧ形式であるとの判定）がなされた場合には、ステップＳ８０２に於いて生成されたページデータを、変換部４８が、ＪＰＥＧ形式のファイルとしてページファイルに変換して保存部３８に書き込み保存する（ステップＳ８０４）。
【０１４３】
一方、ステップＳ８０３に於いて、Ｎｏの判定（決定された保存形式がＧＩＦ形式であるとの判定）がなされた場合には、ステップＳ８０２に於いて生成されたページデータを、変換部４８が、ＧＩＦ形式のファイルとしてページファイルに変換して保存部３８に書き込み保存する（ステップＳ８０５）。
【０１４４】
更に、全ページについて上述のステップＳ８０４またはステップＳ８０５が行われたか否かの判定を行い（ステップＳ８０６）、Ｎｏの判定がなされた場合には、ステップＳ８０２に戻って処理を繰り返す。
【０１４５】
一方、全ページをスキャン済みである場合（ステップＳ８０６に於いてＹｅｓ）、ユーザ指定処理を終了する。ユーザ指定処理を終了すると、画像処理装置１０は、図６に示す処理に戻って統一保存処理を終了する。統一保存処理を終了すると、画像処理装置１０は、更に図５に示す処理に戻り、処理を終了する。
【０１４６】
以上のように、取得された複数のページデータ（第１ページデータＰＤ１，第２ページデータＰＤ２，…）の保存形式を、保存形式決定方法に従って決定することにより、画像データＩＤに複数のページデータが含まれていても対応できる。また、保存形式決定方法を複数の決定方法から選択するので、ユーザの要求や画像データＩＤの内容に応じて柔軟に対応できる。
【０１４７】
ここで、複数の決定方法は、画像データＩＤに含まれる個々のページデータ（第１ページデータＰＤ１，第２ページデータＰＤ２，…）ごとに保存形式を決定する個別決定方法を含むので、各ページデータ（第１ページデータＰＤ１，第２ページデータＰＤ２，…）に表現されている画像に適した保存形式で保存することが可能となり、画像データＩＤに含まれる画像の劣化等を回避または抑制することができる。
【０１４８】
また、複数の決定方法は、画像データＩＤに含まれる全てのページデータ（第１ページデータＰＤ１，第２ページデータＰＤ２，…）について同一の保存形式を決定する統一決定方法を含むので、変換された保存データＳＤが単一形式のデータとなり、保存データＳＤの保存や編集を行うことが容易となる。
【０１４９】
また、統一決定方法が選択された場合に於いては、一のページデータ（第１ページデータＰＤ１，第２ページデータＰＤ２，…）に基づく判定部４２での判定結果に応じて複数のファイル形式から保存形式を決定するので、保存形式の決定を速やかに行うことができる。
【０１５０】
また、統一決定方法が選択された場合に於いては、全てのページデータ（第１ページデータＰＤ１，第２ページデータＰＤ２，…）に基づく判定部４２での判定結果に応じて複数のファイル形式から保存形式を決定するので、ユーザがページごとに保存形式を選択する操作を省くことが可能となり、画像データＩＤに応じた保存形式で保存することが可能となる。
【０１５１】
更に、決定部４６は、判定部４２によって判定されたページデータ（第１ページデータＰＤ１，第２ページデータＰＤ２，…）の画像種別のうち最も多い画像種別に応じて複数のファイル形式から保存形式を決定するので、保存される画像の劣化等を回避または抑制することが可能となる。
【０１５２】
更に、決定部４６は、判定部４２で判定されたページデータ（第１ページデータＰＤ１，第２ページデータＰＤ２，…）の画像種別に自然画像が含まれている場合には、複数のファイル形式から自然画像に適した保存形式を決定するので、画像データＩＤに含まれる自然画像の劣化等を回避または抑制することが可能となる。
【０１５３】
更に、決定部４６は、判定部４２で判定された（第１ページデータＰＤ１，第２ページデータＰＤ２，…）の画像種別にイラスト画像が含まれている場合には、複数のファイル形式からイラスト画像に適した保存形式を決定するので、画像データＩＤに含まれるイラスト画像の劣化等を回避または抑制することが可能となる。
【０１５４】
また、判定部４２は、ページデータ（第１ページデータＰＤ１，第２ページデータＰＤ２，…）に相異なる種別の画像が複数含まれている場合には、当該ページデータ（第１ページデータＰＤ１，第２ページデータＰＤ２，…）の画像種別を、予め定められた優先画像種別として判定するので、複数種類の画像種別の画像が含まれているページデータ（第１ページデータＰＤ１，第２ページデータＰＤ２，…）の画像種別を判定することができると共に、一の画像種別を他の画像種別よりも優先することが可能となる。
【０１５５】
＜変形例＞
以上、本発明の実施形態について説明したが、本発明は上記説明した内容のものに限定されるものではない。
【０１５６】
例えば、本実施形態に於いては、画像ファイルの保存形式（圧縮方式）をＪＰＥＧ形式とＧＩＦ形式の何れかとしたが、ＴＩＦ形式やビットマップ形式、ＰＮＧ形式、ＰＤＦ形式等の圧縮方式でも構わないのは勿論であり、ＭＭＲ形式やＭＨ形式等のファクシミリの通信プロトコルに合わせた圧縮方式でも構わない。
【０１５７】
また、例えば、判定部４２での判定結果に拘わらず、操作部１４からの入力により予め定められた保存形式とするようにしても構わない。
【０１５８】
また、上記実施の形態では、図４に於いて、画像種別判定閾値３２Ａ、優先判定情報３２Ｂおよび優先決定情報３２ＣをＲＯＭ３２に保存するように図示した。しかしこれらは、必ずしもＲＯＭ３２に保存されている必要はなく、ＲＡＭ３４に保存されていても良い。また、ＲＯＭ３２またはＲＡＭ３４のどちらに保存するかをユーザが選択できるようにしても良い。更には、保存されているこれらの情報をユーザが変更することが可能とされていても良い。
【０１５９】
また、本発明は、上述の処理を行うことが可能な回路構成であっても良く、上述の各工程に限定されるものでもない。
【０１６０】
また、保存形式決定方法として選択される決定方法は、上記実施の形態に示した個別決定方法と統一決定方法とに限られるものではない。例えば、２つのページデータごとに保存形式を決定する方法であっても良い。あるいは、半数のページデータについては保存形式を統一するように決定し、残りのページデータについては個々に保存形式を決定する方法のように、異なる数のページデータごとに保存形式を決定する方法であっても良い。
【図面の簡単な説明】
【０１６１】
【図１】本発明の実施形態に係る画像処理装置の外部構成の概略（カバーを閉じた状態）を示す図である。
【図２】本発明の実施形態に係る画像処理装置の外部構成の概略（カバーを開いた状態）を示す図である。
【図３】画像処理装置の内部構成を示すブロック図である。
【図４】画像処理装置の機能ブロック図である。
【図５】画像処理装置の処理内容を示すフローチャートである。
【図６】画像処理装置の統一保存処理を示すフローチャートである。
【図７】画像処理装置の統一保存処理を示すフローチャートである。
【図８】画像処理装置の統一保存処理を示すフローチャートである。
【図９】画像処理装置のユーザ指定処理を示すフローチャートである。
【符号の説明】
【０１６２】
１０  画像処理装置
１２  スキャナ
１４  操作部
１６  表示部
３０  ＭＰＵ
３２  ＲＯＭ
３４  ＲＡＭ
３６  取得部
３８  保存部
ＩＦ  ネットワークインタフェイス
４２  判定部
４４  選択部
４６  決定部
４８  変換部
ＩＤ  画像データ
ＰＤ１  第１ページデータ
ＰＤ２  第２ページデータ
ＳＤ  保存データ
ＰＦ１  第１ページファイル
ＰＦ２  第２ページファイル
【図１】
2007310775.tif 000003
【図２】
2007310775.tif 000004
【図３】
2007310775.tif 000005
【図４】
2007310775.tif 000006
【図５】
2007310775.tif 000007
【図６】
2007310775.tif 000008
【図７】
2007310775.tif 000009
【図８】
2007310775.tif 000010
【図９】
2007310775.tif 000011